(57)【要約】【課題】連結ステープル１０の巻き始め端部をリール１の巻芯１４の外周面に確実に固定できると共に、連結捨てプルが巻芯１４から容易に離脱できるようにする。【解決手段】連結ステープル１０を巻回するための巻芯１４の外周面に板状片で形成された固定片１７の一端側を固定して設け、固定片１７の他端側に屈曲自在な折曲片１９を形成するとともに該折曲片１９を前記連結ステープル１０の巻き始め端部の隣接したステープル１０ａの脚１２間に挿入して連結ステープル１０の巻き始め端部を巻芯１４の外周面に固定し、連結ステープル１０のクラウン１１部を巻芯１４の外周面に当接させた状態で連結ステープル１０を巻芯１４の外周上に巻回させる。【選択図】　　　図５
2004098189.tif 000002
【特許請求の範囲】
【請求項１】
クラウン部の両端から同じ方向に延びた一対の脚部が形成されるとともに、クラウン部において連結片によって互いに連結された連結ステープルを巻回するための巻芯を有したリールであって、厚紙等の板状片で形成された固定片を一端側において前記リールに固定して設け、該固定片の他端側に屈曲自在な折曲片を形成し、該折曲片を前記連結ステープルの巻き始め端部の隣接したステープルの脚間に挿入して、連結ステープルの巻き始め端部を前記リールに固定し、ステープルのクラウン部を巻芯の外周面に当接させた状態で連結ステープルを巻芯の外周上に巻回させるようにしたことを特徴とするステープル巻き取り用リール。
【請求項２】
前記固定片が長方形の厚紙によって形成され、一端側が接着テープによって前記リール上に固定されるとともに、他端側に厚紙を折り曲げした折曲片が形成されていることを特徴とする請求項１に記載のステープル巻き取り用リール。
【発明の詳細な説明】
【０００１】
【発明の属する技術分野】
本発明は柑橘類等の果物類や玉葱等の野菜類を収容するネット袋等の口部を結束するためのステープル等の連結されたステープルを巻回して収容するためのステープル巻き取り用リールに関する。
【０００２】
【従来の技術】
柑橘類等の果物類や玉葱等の野菜類を出荷する際に、これらを収容したネット袋の口部をプラスチック製又はアルミニウム等の金属製からなる結束用のステープルによって結束してネット袋の口部を綴じて包装する結束機が知られている（例えば、特許文献１参照）。この結束機で使用される結束用のステープルはクラウン部の両端に平行に延びた一対の脚部が形成された一般のステープル様に形成されており、クラウン部側に形成されている連結片によって隣接したステープル同士が一体に成形されて多数のステープルが連結されて連結ステープルとして形成されている。
【０００３】
上記連結されたステープルを結束機の結束部へ連続的に供給するため、連結ステープルは円筒状の巻芯の両端に大径のフランジ部が形成されたリールに巻回されて上記結束機に装填され、結束機のステープル供給機構によって結束部へ順次供給されるようにされている。連結ステープルをリールに巻回するには連結ステープルの巻き始めの端部の数本のステープルの側面又はクラウン部の背面に予め両面接着テープを接着しておき、この連結ステープルの端部をリールのフランジの内側面又は巻芯の外周面に両面接着テープを介して接着固定して長尺の連結ステープルを巻芯の外周面に巻回してリールに収容している。
【０００４】
【特許文献１】
実公平６−５０１４７号公報
【０００５】
【発明が解決しようとする課題】
上記のように、連結ステープルの巻き始め端部を両面接着テープ等の接着剤を介してリールに固定させる構造では、接着面積にばらつきが生じて、リールのフランジ又は巻芯に固定された連結ステープルの端部が両面接着テープから剥がれずに連結ステープルの供給ができなくなったり又は連結ステープルが途中で切断されてしまったりすることがある。また、リール側の接着が剥がれて両面接着テープが結束機内へ引き込まれてしまいステープルの供給作動の不具合を発生することがある。また、ポリカーボネート等の材料により成形されたプラスチック製のステープルでは、ステープルの脚を屈曲成形して袋口を結束させる際に、ステープル脚を誘導させるクリンチャとの滑り抵抗を小さくするために予めステープルの表面に潤滑剤が塗布されており、この潤滑剤のために前記両面接着テープによる接着ができず、又は接着力が極端に小さくなるため、連結ステープルの巻き始め端部をリールの巻芯に固定することができなくなり、連結ステープルのリールへの巻回が行えなくなるという問題が発生している。
【０００６】
本発明は、両面接着テープ等の接着剤を使用せずに連結ステープルの巻き始め端部をリールの巻芯表面に確実に固定できると共に、連結ステープルが消費された最後にはこの巻き始め端部が巻芯から容易に離脱されるようにした連結ステープル巻き取り用のリールを提供することを課題とする。
【０００７】
【課題を解決するための手段】
上記課題を解決するため本発明のステープル巻き取り用リールは、クラウン部の両端から同じ方向に延びた一対の脚部が形成されるとともに、クラウン部において連結片によって互いに連結された連結ステープルを巻回するための巻芯を有したリールであって、厚紙等の板状片で形成された固定片を一端側において前記リールに固定して設け、該固定片の他端側に屈曲自在な折曲片を形成し、該折曲片を前記連結ステープルの巻き始め端部の隣接したステープルの脚間に挿入して、連結ステープルの巻き始め端部を前記リールに固定し、ステープルのクラウン部を巻芯の外周面に当接させた状態で連結ステープルを巻芯の外周上に巻回させるようにしたことを特徴とする。
【０００８】
また、請求項２の発明は、前記固定片が長方形の厚紙によって形成され、一端側が接着テープによって前記リール上に固定されるとともに、他端側に厚紙を折り曲げした折曲片が形成されていることを特徴とする。
【０００９】
【発明の実施の形態】
以下図に示す実施例に基づいて本発明の実施の形態を説明する。図１は本発明の実施例に係るステープル巻き取り用のリール１を装填した結束機２の要部を示すものであり、結束機２のブラケット３に回転自在に装架されたリール１に巻回収容されている連結ステープル４は、リール１から引き出されてガイドローラ４を経てステープル供給機構５により順次結束部６へ供給される。結束部６へ供給された連結ステープルの先頭のステープルは、図示していない駆動機構により駆動されるドライバ７によって連結状態から切断されて結束部６に配置されているネット袋Ｐの口部に装着されて、クリンチャ８によって脚部が屈曲成形されて図２に示すようにネット袋Ｐの口部を結束する。
【００１０】
図３（ａ）、（ｂ）に示すように本実施例の連結ステープル１０は、ポリカーボネート等のプラスチック材により成形されており、湾曲状に形成されているクラウン部１１の両端から同じ方向に延びた一対の脚部１２が形成されて単体のステープル１０ａを構成しており、この単体のステープル１０ａが隣接した状態に並べられてクラウン部１１の中心部に形成されている小断面積の連結片１３によって隣接した単体のステープル１０ａ同士が一体に連結され連結ステープル１０を形成している。
【００１１】
上記連結ステープル１０を巻回収容するリール１は図４に示すように、円筒状に形成されている巻芯１４の両端に大径のフランジ１５が一体に形成されている。フランジ１５の中心には両側のフランジ１５を貫通した開口１６が形成されており、結束機２のブラケット３に装架された支持軸９によってリール１が回転自在に支持されるようにされている。前記リール１の巻芯１４の外周面には、厚紙により長方形に形成された固定片１７が、固定片１７の長手方向が連結ステープルの巻回方向に沿うように配置されて該固定片１７の一端側が巻芯１４の外周面に接着テープ１８によって固定されている。前記固定片１７の他端側には巻芯１４の中心に向く方向に折り曲げられた屈曲自在な折曲片１９が形成されている。
【００１２】
連結ステープル１０をリール１に巻回するには、図５に示すように、一端が巻芯１４の外周面に固定されている固定片１７の他端側に形成されている折曲片１９を、連結ステープル１０の巻き始め端のステープル１０ａと２番目のステープル１０ａの間にステープルの脚部１２の先端側から挿入し、連結ステープル１０のクラウン部１１を巻芯１４の外周面に当接させるようにして、リール１を図中の矢印方向Ｄに回転させることによって連結ステープル１０が巻芯１４の外周面に巻回される。
【００１３】
図６に示すように、連結ステープル１０をリール１に巻き取る際には、連結ステープル１０に図中の矢印Ｅ方向のテンションが作用しており、固定片１７の折曲片１９が挿入されているステープル１０ａの部分には接線方向の連結ステープルを引く力成分Ａが作用している。この力成分Ａは、固定片１７が延びている方向の力成分Ｂと固定片１７の折曲片１９が巻芯１４の中心へ向かう方向の力成分Ｃとに分解することができ、力成分Ｂは一端側が巻芯１４に固定されている固定片１７の張力とつり合い、また、力成分Ｃは巻芯１４の外周面に受け止められることによって釣り合い、これにより連結ステープル１０の巻き始め端部は固定片１７によって固定されることになる。長尺の連結ステープル１０がリール１に巻回されることにより、連結ステープル１０の後続部分が固定片１７によって固定されている巻き始め端部の上層側に巻き重ねられて固定片１７が上層側の連結ステープル１０によって押さえられるので、連結ステープル１０がリール１に巻回されている状態では固定片１７の折曲片１９と連結ステープル１０の巻き始め端部の係合が外れることはない。
【００１４】
次に、上記リール１に巻回された連結ステープル１０が結束機２に装填されて袋口の結束作業が行われて連結ステープル１０が消費され、連結ステープル１０の巻き始め端部が固定片１７から離脱される状態を図７乃至図９により説明する。図７に示すように、ステープル１０ａの脚部１２の間に挿入された折曲片１９が連結ステープル１０の引き出し方向と直角の方向に向くまでは、図６と同様に、連結ステープル１０を引き出す方向の力成分Ａの分力Ｂ、及びＣは固定片１７の張力と巻芯１４の外周面によって釣り合わせられており、連結ステープル１０の引き出しに従ってリール１が回転して連結ステープル１０が結束機へ供給される。
【００１５】
図８に示すように、更にリール１が回転されて連結ステープル１０の巻き始め端部のステープル１０ａのクラウン部１１が巻芯１４の外周面から離れる位置まで連結ステープル１０がリール１から引き出されると、巻芯１４による分力Ｃの平衡が保たれなくなり、固定片１７が連結ステープル１０の引き出し方向に傾倒して折曲片１９の折れ曲がり角度Ｑ１が徐々に大きくなり、図９に示すように上記角度Ｑ２が９０度以上になると、連結ステープル１０が反り返るように変形されて各ステープル１０ａの脚部１２の間隔が開くことにより、巻き始め端のステープル１０ａが折曲片１９から離脱されて結束機側へ供給される。上記のように、固定片１７が連結ステープル１０の引き出し方向に傾倒することによって巻き始め端部のステープル１０ａが離脱するように折曲片１９の折り曲げ角度が変位するので、ステープル１０ａが固定片１７から外れる際の抵抗が小さく、従ってリール１の巻芯１４の外周面に接着テープ１８によって固定された固定片１７はリール１側に確実に残される。
【００１６】
上記実施例では、固定片１７を厚紙を使用して形成したものであるが、厚紙程度の腰と充分な張力がある板状の素材であれば厚紙の他にプラスチック片や、金属片等の種々の材料を使用することができる。また、上記実施例では、固定片１７の一端を接着テープ１８により巻芯１４の外周面に固定したものであるが、図１０に示す別の実施例のように、リール１の巻芯１４の外周面に開口２０を形成して、固定片１７の一端側に折り曲げ形成した係合片２１をこの開口２０内に差し込んで固定するようにしてもよい。また、固定片１７は巻芯１４の外周面以外にフランジ１５の巻芯１４側の側面に固定させるようにしてもよく、例えば、図１１に示す実施例のように、固定片１７の一端側の側縁から垂直方向に折り曲げられた係合片２２を一体に形成し、この折曲片２２に形成した係合穴２３をリール１のフランジ部１５の内側面に形成したピン２４に係合させる構造としてもよい。更に、固定片１７を巻芯１４へ固定する手段としてはリベットやネジ等による一般の固定方法が応用できる。
【００１７】
更に、上記実施例においてはプラスチック材により一体に成形された連結ステープル１０について説明しているが、アルミニウム等の金属により形成された単体のステープル１０ａを多数並列させて、これらのステープル１０ａのクラウン部１１の上面に長尺のテープを貼り付けて連結させた連結ステープルについても実施することが可能である。
【００１８】
【発明の効果】
以上のように本発明によれば、一端側をリールの固定した厚紙等の板状片で形成された固定片の他端側に屈曲自在な折曲片を形成し、該固定片の折曲片を連結ステープルの巻き始め端部の隣接したステープルの脚間に挿入して、連結ステープルの巻き始め端部を巻芯の外周面に固定するようにしているので、連結ステープルの巻き始め端部の固定作業が容易に行え、リールへの連結ステープルの巻き取り作業が楽にできる。
【００１９】
また、固定片に形成した折曲片を連結ステープルのステープル間に挿入しているだけであるので、連結ステープルが固定片から外れるときの抵抗が小さく、従って連結ステープルが連結の途中から切断してしまったり、固定片が連結ステープルと共に結束機側に供給されてしまうことが無く結束機側の供給作動の障害が回避できる。
【００２０】
更に、固定片と連結ステープル間の固定に両面接着テープ等の接着剤を利用していないので、表面に潤滑剤を塗布したプラスチック材で形成された連結ステープルにおいても、連結ステープルの巻き始め端部を巻芯の外周面に固定することができ、結束時のクリンチャとの滑り抵抗を低減させるための潤滑剤が塗布されたステープルのリールへの巻回作業が可能となる。
【００２１】
請求項２の発明によれば、固定片を厚紙により形成し、接着テープによりリールに固定させているので、リールの製造コストを安価にすることができる。
【図面の簡単な説明】
【図１】本発明の実施例にかかるステープル巻き取り用リールを装架した結束機の要部を示す断面図
【図２】図１の結束機により袋の口部を結束した状態を示す斜視図
【図３】図１の結束機で使用している連結ステープルを示す（ａ）は側面図、及び（ｂ）は図３（ａ）におけるＸ−Ｘ線での断面図
【図４】本発明のステープル巻き取り用リールの実施例を示す斜視図
【図５】連結ステープルが巻回された状態のステープル巻き取り用リールの一部を示す断面図
【図６】連結ステープルの巻き始め端部が固定される作用を説明する側面図
【図７】連結ステープルが固定片から離脱される前の状態の側面図
【図８】連結ステープルが固定片から離脱される直前の状態の側面図
【図９】連結ステープルが固定片から離脱された状態の側面図
【図１０】固定片をリールへ固定する他の実施例を示す要部の斜視図
【図１１】固定片をリールへ固定する更に別の実施例を示す要部の斜視図
【符号の説明】
１　リール
１０　連結ステープル
１１　クラウン部
１２　脚部
１３　連結片
１４　巻芯
１５　フランジ
１６　開口
１７　固定片
１８　接着テープ
１９　折曲片
【図１】
2004098189.tif 000003
【図２】
2004098189.tif 000004
【図３】
2004098189.tif 000005
【図４】
2004098189.tif 000006
【図５】
2004098189.tif 000007
【図６】
2004098189.tif 000008
【図７】
2004098189.tif 000009
【図８】
2004098189.tif 000010
【図９】
2004098189.tif 000011
【図１０】
2004098189.tif 000012
【図１１】
2004098189.tif 000013